(57)【要約】【課題】使い勝手のよい、携帯端末用キーボードを提供する。【解決手段】携帯端末用キーボード（１０）は、外部に設けられた携帯端末への入力が可能なキーボード（１５）と、携帯端末と通信するための無線通信部（１２）と、携帯端末を充電するための充電部（１３）とを含む。【選択図】図３
2013218434.tif 000002
【特許請求の範囲】
【請求項１】
外部に設けられた携帯端末への入力が可能な第１キーボードと、
前記携帯端末と通信するための無線通信装置と、
前記携帯端末を充電するための充電手段とを含む、携帯端末用キーボード。
【請求項２】
前記携帯端末は携帯端末自身の第２キーボードと表示画面を有し、
前記表示画面に特定の表示を行うには、前記第２キーボードにおいて複数回のキー入力が必要であり、
前記第１キーボードは、特定のキーを有し、
前記特定のキーは一度操作されると、前記携帯端末において、前記特定の表示を実行する命令を前記携帯端末に送信する、請求項１に記載の携帯端末用キーボード。
【請求項３】
前記特定の表示は、絵文字の表示である、請求項２に記載の携帯端末用キーボード。
【請求項４】
前記第１キーボードは、文字または数字を入力するキーを有し、
前記特定のキーは、前記文字または数字を入力するキーである、請求項３に記載の携帯端末用キーボード。
【発明の詳細な説明】
【技術分野】
【０００１】
この発明は携帯端末用キーボードに関し、特に、充電機能を有する携帯端末用キーボードに関する。
【背景技術】
【０００２】
従来の携帯端末用キーボードが例えば、特開２００２−３６６２８４号公報（特許文献１）や特開２０１０−１６０９０２号公報（特許文献２）に開示されている。特許文献１によれば、携帯電子機器用キーボードは、上面に複数のキースイッチが設置されたキーボード本体と、該キーボード本体と携帯電子機器とを接続するための接続手段と、携帯電子機器を駆動及び／又は充電するための電源とが、筐体に一体的に備えられている。
【先行技術文献】
【特許文献】
【０００３】
【特許文献１】特開２００２−３６６２８４号公報
【特許文献２】特開２０１０−１６０９０２号公報
【発明の概要】
【発明が解決しようとする課題】
【０００４】
従来の携帯端末用キーボードは上記のように構成されていた。従来の携帯端末用キーボードにおいては、携帯端末をキーボードに挿入する必要があるため、任意の位置に携帯端末を載置してキー入力をすることができないため、使い勝手が悪いという問題があった。
【０００５】
この発明は上記のような問題点を解消するためになされたもので、使い勝手のよい、携帯端末用キーボードを提供することを目的とする。
【課題を解決するための手段】
【０００６】
携帯端末用キーボードは、外部に設けられた携帯端末への入力が可能な第１キーボードと、携帯端末と通信するための無線通信装置と、携帯端末を充電するための充電手段とを含む。
【０００７】
好ましくは、携帯端末は携帯端末自身の第２キーボードと表示画面を有し、表示画面に特定の表示を行うには、第２キーボードにおいて複数回のキー入力が必要であり、第１キーボードは、特定のキーを有し、特定のキーは一度操作されると、携帯端末において、特定の表示を実行する命令を携帯端末に送信する。
【０００８】
さらに好ましくは、特定の表示は、絵文字の表示である。
【０００９】
また、第１キーボードは、文字または数字を入力するキーを有し、特定のキーは、文字または数字を入力するキーであってもよい。
【発明の効果】
【００１０】
この発明に係る携帯端末用キーボードは、キーボードと、携帯端末と通信するための無線通信装置と、携帯端末を充電するための充電手段とを含む。携帯端末とは無線で接続されているため、携帯端末とは無関係にキーボードを任意の位置に載置してキー入力が可能である。
【００１１】
その結果、使い勝手のよい携帯端末用キーボードを提供できる。
【図面の簡単な説明】
【００１２】
【図１】この発明の一実施の形態に係る携帯端末用キーボードを示す斜視図である。
【図２】図１において、矢印ＩＩ-ＩＩで示す部分の矢視図である。
【図３】携帯端末用キーボードの全体構成を示すブロック図である。
【図４】携帯端末用キーボードの使用状態を示す図である。
【図５】携帯端末用キーボードのＣＰＵが行う動作を示すフローチャートである。
【図６】絵文字入力を行う場合の処理内容を説明するための図である。
【発明を実施するための形態】
【００１３】
以下、この発明の一実施の形態を図面を参照して説明する。図１は、この発明の一実施の形態に係る、携帯電話のような携帯端末とともに利用される携帯端末用キーボードを示す斜視図であり、図２は図１において、矢印ＩＩ-ＩＩで示す部分の矢視図である。図１を参照して、携帯端末用キーボード（第１キーボード）１０は携帯電話等と同様の平板状を有し、その一つの平面に文字入力のためのテンキー等の複数のキーを含むキー面１５と、キー面１５の上方に設けられた特別キー１６とを含む。
【００１４】
図２を参照して、キー面１５の下方であって、キー面１５に隣接する端面には、外部に設けられた携帯端末と接続するための接続口１４と、携帯端末用キーボード１０本体に設けられた電池を充電するために外部のコンセントと接続するための電源接続口２１とが設けられている。外部に設けられた携帯端末と接続口１４とは、例えば、ＵＳＢで接続される。なお、他の接続規格で接続してもよい。
【００１５】
図３は携帯端末用キーボード１０の全体構成を示すブロック図である。図３を参照して、携帯端末用キーボード１０は、携帯端末用キーボード１０全体を制御するためのＣＰＵ１１と、ＣＰＵ１１に接続された無線通信部１２と、充電部（充電手段）１３と、キーボード１５と携帯端末用キーボード１０本体を起動させるためのスイッチ１７と、充電可能な電池１８と、所定のプログラムやデータを有するＲＯＭ（Read Only Memory）とを含む。
【００１６】
無線通信部１２は、外部に設けられた携帯端末に対して、キーボード１５で入力されたキー信号を無線で送信する。この無線通信は、ブルートゥースを用いるのが好ましい。充電部１３は、図２に示した接続口１４を有し、外部に設けられた携帯端末を充電する機能を有する。
【００１７】
キーボード１５は、文字や数字を入力するための複数のキーを有し、入力されたキーの信号は無線通信部１２を介して携帯端末に送信される。なお、キーボード１５はテンキーのような配列であってもよいし、QWERTY配列であってもよい。また、キーボード１５は、マトリックス状に配列されたキーボード１５とは別に設けられた特別キー１６を含む。
【００１８】
図４は、この発明に係る携帯端末用キーボード１０の使用状態を示す図である。図４（Ａ）は携帯端末用キーボード１０を携帯端末３０とＵＳＢを用いて接続して、携帯端末３０を充電する状態を示す図である。図４（Ａ）を参照して、この場合は携帯端末３０の表示画面３５に電池のマークが表示され、どの程度充電されたか否かが表示される。
【００１９】
図４（Ｂ）は携帯端末用キーボード１０でキーボード１５を用いてキー入力して、その入力を無線で携帯端末３０に送信する状態を示す図である。図４（Ｂ）を参照して、この場合は携帯端末３０の表示画面３５に携帯端末用キーボード１０で入力した文字等が表示される。複数の絵文字が選択可能に電池のマークが表示され、どの程度充電されたかが表示される。なお、通信中は携帯端末３０の表示画面３５には携帯端末のキーボード（第２キーボード）が表示されることなく、画面全体に入力した文字が表示されるため、長文を入力した場合においても確認は容易である。
【００２０】
なお、ここでは、携帯端末用キーボード１０のサイズは携帯端末３０とほぼ同様としているが、通常のパソコン用のキーボードのようなサイズであってもよい。そうであれば、キー入力が容易になる。
【００２１】
次に、特別キー（特定のキー）１６について説明する。特別キー１６は、携帯端末用キーボード１０において、特定の機能を実行するためのキーである。ここでは、一例として、携帯端末３０においては、絵文字を入力するために複数回のキー入力が必要である場合について説明する。
【００２２】
携帯端末において絵文字を入力するには、まず、入力モードを「日本語かな」や「日本語ローマ字」から「絵文字」を選択する。絵文字が画面に表示されて、その中から所望の絵文字を選択し確定する。
【００２３】
これに対して、この実施の形態においては、特別キー１６を押すと、絵文字が携帯端末３０の表示画面に表示される。
【００２４】
図５はこの実施の形態におけるＣＰＵ１１の動作を示すフローチャートであり、図６はその時の処理を示す図である。図５および図６を参照して、この場合の動作について説明する。
【００２５】
ユーザが携帯端末３０において絵文字を入力する場合は（図５においてステップＳ１１、以下、ステップを省略する）、ユーザは図６（ａ）に示すように、特別キー１６を押す（Ｓ１２でＹＥＳ）。すると、ＲＯＭ１９内の所定のプログラムが立ち上がり、携帯端末用キーボード１０は絵文字入力モードになる（Ｓ１３）。この信号は携帯端末３０に送信され（Ｓ２１でＹＥＳ）、携帯端末３０も絵文字入力モードとなる（Ｓ２２）。
【００２６】
このとき携帯端末３０は、図６（ｂ）に示すように絵文字入力モードとなり、図６（ａ）に示した右矢印（→）を押すことが可能になる。この矢印で所望の絵文字の選択が可能になる。このようにして図６（ｃ）に示すように所望絵文字が選択されて、携帯端末３０の表示画面に表示される（図６（ｄ））。
【００２７】
携帯端末３０では、携帯端末用キーボード１０からのこの信号を受信すると（Ｓ２１でＹＥＳ）、図６（ｃ）に示すように携帯端末３０の表示画面に絵文字が選択可能に表示され（Ｓ２２）、所望の図６（ｃ）に示すように所望の絵文字を選択すると、携帯端末３０の表示画面３５複数の絵文字が選択可能に表示される。
【００２８】
なお、上記実施の形態においては、特別キーをマトリックス状のキーボードとは別の位置に設けたが、これに限らず、マトリックス状のキーボードのうちの特定のキーを特別キーとしてもよい。
【００２９】
また、上記実施の形態においては、特別キーを、携帯端末において、絵文字の入力として利用する場合について説明したが、これに限らず、携帯端末において複数回のキー入力が必要な処理や、携帯端末において具備していない機能を実行させる場合に利用してもよい。
【００３０】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【産業上の利用可能性】
【００３１】
この発明に係る携帯端末用キーボードは使い勝手がよいため、携帯端末用キーボードとして有利に利用される。
【符号の説明】
【００３２】
１０  携帯端末用キーボード、１１  ＣＰＵ、１２  無線通信部、１３  充電部、１４  接続口、１５  キー面、１６  特別キー、１７  スイッチ、１８  電池、１９  ＲＯＭ、３０  携帯端末。
【図１】
2013218434.tif 000003
【図２】
2013218434.tif 000004
【図３】
2013218434.tif 000005
【図４】
2013218434.tif 000006
【図５】
2013218434.tif 000007
【図６】
2013218434.tif 000008